(57)【要約】【課題】タッチディスプレイの画像情報を切替えする時の視認性を向上させる電子機器を提供すること。【解決手段】少なくとも文字又は画像の情報を表示する画像表示部と、前記画像表示部の前面に設けられたタッチパネルと、前記タッチパネルの押された位置を検出するタッチ検出手段と、前記タッチパネルの表面の特定領域を、少なくとも２つ以上は変形可能な変位デバイスと、前記変位デバイスを、特定領域以外と同じである第一の形状と、前記表面の特定領域以外と異なる第二の形状とに制御する制御手段とを備え、前記制御手段は、ユーザのタッチ操作と、タッチ位置に応じて、まず第一の形状から第二の形状を形成し、次に第一の形状に変化させることを特徴とする。【選択図】図１
2017219980.tif 000002
【特許請求の範囲】
【請求項１】
少なくとも文字又は画像の情報を表示する画像表示部と、
前記画像表示部の前面に設けられたタッチパネルと、
前記タッチパネルの押された位置を検出するタッチ検出手段と、
前記タッチパネルの表面の特定領域を、少なくとも２つ以上は変形可能な変位デバイスと、
前記変位デバイスを、特定領域以外と同じである第一の形状と、前記表面の特定領域以外と異なる第二の形状とに制御する制御手段とを備え、 
前記制御手段は、ユーザのタッチ操作と、タッチ位置に応じて、
まず第一の形状から第二の形状を形成し、次に第一の形状に変化させることを特徴とする電子機器。
【請求項２】
前記第二の形状とは、前記タッチパネルの表面に対して凸となる形状であることを特徴とする請求項１に記載の電子機器。
【請求項３】
前記制御部は、タッチ位置に応じて、記憶部に記憶されたプログラムを動作させて、変位デバイスに所定の動作を実行する指令を送信することを特徴とする請求項１又は請求項２に記載の電子機器。
【請求項４】
前記制御部は、タッチ移動速度ないし移動量が閾値以上である場合、前記記憶部に記憶されたプログラムを動作させて、所定の動作を実行する指令を変位デバイスに送信し、 
タッチ移動速度ないし移動量が閾値未満である場合、タッチ位置から離れた領域に、前記第二の形状を形成する指令を変位デバイスに送信することを特徴とする請求項１又は請求項２に記載の電子機器。 
【請求項５】
前記制御部は、タッチ位置とタッチ移動速度に基づき、タッチ位置と第二の形状を形成する位置との距離を算出することを特徴とする請求項４に記載の電子機器。 
【請求項６】
前記制御部は、タッチ位置とタッチ操作のベクトル方向に基づき、前記第二の形状を形成する領域を算出することを特徴とする請求項４又は請求項５に記載の電子機器。 
【請求項７】
前記制御部は、前記画像表示部に表示される画像情報と、前記変位デバイスの第一と第二の形状とを、連動させて出力することを特徴とする請求項１乃至請求項６の何れか一項に記載の電子機器。
【請求項８】
前記タッチ操作とは、タップ操作、フリック操作、スライド操作、スワイプ操作、の少なくともいずれか１つを含む操作であることを特徴とする請求項１乃至請求項７の何れか一項に記載の電子機器。
【発明の詳細な説明】
【技術分野】
【０００１】
本発明は、電子機器に関し、特に表示画面上にタッチパネルが配置された電子機器に関する。
【背景技術】
【０００２】
従来、液晶ディスプレイ等のディスプレイ上に、タッチパネルが配置された表示装置では、電子書籍等のドキュメントを閲覧する機能が搭載されている。電子書籍は、ユーザに紙媒体の書籍に近い印象を与える為に、画像情報に様々な工夫がされている。例えば、表示された見開き２ページの紙面をタッチ操作することで、紙面が弧の字に変形した情報を表示してページが切替る。または紙面をタッチ操作して、ページが切替ると表示装置が振動して、触覚的にページ捲りに近い状態を提案している。
【０００３】
特許文献１には、表示画面へのタッチ操作を検知して、ページ捲り時の紙面が変形する奥行き感を画像情報として出力して、自然なページ捲りを表示する表示装置が開示されている。
【先行技術文献】
【特許文献】
【０００４】
【特許文献１】特開２０１２-２２１３０８号公報
【発明の概要】
【発明が解決しようとする課題】
【０００５】
しかしながら、上述の特許文献に開示された特許文献１では、タッチ操作によるページ捲りを行う時、画像情報にページ捲り時の紙面の変形を出力するのみであって、紙媒体の書籍から得られる、紙面の変形の立体感が不足していた。
【０００６】
そこで、本発明の目的は、タッチ操作に応じてページ捲りする時、より紙媒体の書籍のページ捲りに近い、現実のような立体感を得ることを可能とした電子機器を提供することにある。
【課題を解決するための手段】
【０００７】
上記の目的を達成するために、本発明に係る電子機器は、
少なくとも文字又は画像の情報を表示する画像表示部と、前記画像表示部の前面に設けられたタッチパネルと、前記タッチパネルの押された位置を検出するタッチ検出手段と、前記タッチパネルの表面の特定領域を、少なくとも２つ以上は変形可能な変位デバイスと、前記変位デバイスを、特定領域以外と同じである第一の形状と、前記表面の特定領域以外と異なる第二の形状とに制御する制御手段とを備え、前記制御手段は、ユーザのタッチ操作と、タッチ位置に応じて、まず第一の形状から第二の形状を形成し、次に第一の形状に変化させることを特徴とする。
【発明の効果】
【０００８】
本発明によれば、タッチ操作に応じてページ捲りする時、より紙媒体の書籍のページ捲りに近い、現実のような立体感を得ることを可能にした電子機器を提供することができる。
【図面の簡単な説明】
【０００９】
【図１】本発明の実施例1と実施例２における電子機器のシステム構成図
【図２（ａ）】本発明の実施例1における電子機器の正面を示す外観図
【図２（ｂ）】本発明の実施例1における電子機器の側面を示す外観図
【図３】本発明の実施例1におけるシステム制御部の処理フローを示すフローチャート
【図４（ａ）】本発明の実施例1における処理フローの初期状態を示す図
【図４（ｂ）】本発明の実施例1における処理フローの変位デバイスの領域を示す図
【図４（ｃ）】本発明の実施例1における処理フローの所定のページ送り動作１を示す図
【図４（ｄ）】本発明の実施例1における処理フローの所定のページ送り動作２を示す図
【図５】本発明の実施例1における制御領域と非制御領域を示す図
【図６】本発明の実施例1における自動プログラム領域と非自動プログラム領域を示す図
【図７（ａ）】本発明の実施例1における斜め方向のページ送り動作１を示す図
【図７（ｂ）】本発明の実施例1における斜め方向のページ送り動作２を示す図
【図７（ｃ）】本発明の実施例1における斜め方向のページ送り動作３を示す図
【図８】本発明の実施例２におけるシステム制御部の処理フローを示すフローチャート
【図９（ａ）】本発明の実施例２における処理フローの所定のページ送り動作１を示す図
【図９（ｂ）】本発明の実施例２における処理フローの所定のページ送り動作２を示す図
【図９（ｃ）】本発明の実施例２における処理フローの所定のページ送り動作３を示す図
【図１０（ａ）】本発明の実施例における、画像情報と変位デバイスが連動した時を示す図
【図１０（ｂ）】本発明の実施例における、画像情報と変位デバイスが連動した時を示す図
【発明を実施するための形態】
【００１０】
以下に、本発明の好ましい実施の形態を、添付の図面に基づいて詳細に説明する。
【００１１】
図１は本発明の実施形態にかかわる電子機器１を示す図である。
【００１２】
［実施例１］
以下、図１乃至図７を参照して、本発明の第１の実施例について説明する。
【００１３】
本実施例では、電子機器１の一例として、電子ブックリーダ、スマートフォン、タブレット型コンピュータ等の携帯型情報機器に、ドキュメントの紙面情報を画像表示部２に表示した状態を例にとって説明する。本件で説明するドキュメントとは、電子書籍や、ワープロソフトや表計算ソフトなどで作成した文書やPDFファイル等を示す。
【００１４】
まず図１に示す、本発明が適用された電子機器１のシステム構成図について説明する。また補足として電子機器１の外観図を図２（ａ）に示し、側面の外観図を図２（ｂ）に示す。
【００１５】
図１に示されるように、電子機器１は、画像表示部２、記録媒体３、変位デバイス４、タッチ検出手段５、画像制御部６、全体の制御を司るシステム制御部７から構成される。画像表示部２は、電子機器１の外装面の一面に配設された液晶ディスプレイ（ＬＣＤ）等に、後述する画像制御部６から画像情報を取得して出力する。
【００１６】
記録媒体３は、電子機器１に着脱可能なメモリーカード等のリムーバブルな記録装置や、電子機器１に内蔵されたフラッシュメモリ等の不揮発性メモリや、ハードディスクドライブ等の磁気記憶装置である。また記録媒体３は、ドキュメントのアプリケーションが記憶されており、そのアプリケーションで使用可能な書籍情報も記憶されている。
【００１７】
変位デバイス４およびタッチ検出手段５について説明する。変位デバイス４とタッチ検出手段５は、公知である特表２０１１-５０８９３５号公報に記載された構成を用いればよい。変位デバイス４とタッチ検出手段５は、透明又は半透明の材質であり、いずれも画像表示部２の表示面を覆うように略平行に配設される。画像表示部２の前面には変位デバイス４が任意の位置に配設されて、変位デバイス４の前面にはタッチ検出手段５が配設される。
【００１８】
変位デバイス４は、システム制御部７の指令に基づき、内部の空洞部が拡張し、図２に示すように、表面の特定領域が変形することで、タッチ検出手段５の柔軟なシートが変形して、タッチ検出手段５上に、少なくとも１つ以上の凸面４ａを形成する。また変位デバイス４は、各特定領域に対して複数の空洞部を有しており、システム制御部７の各特定領域に対する指令信号に基づき、各特定領域が変形する。
【００１９】
以降の説明では、図２（ａ）に示すように、特定領域の変形状態を示す凸面４ａは丸枠をグレーで塗り潰した表示として、フラット面４ｂは丸枠の破線表示又は図４（b）に示すように非表示とする。
【００２０】
タッチ検出手段５は、任意の位置に指が触れる等して押下されると、タッチした位置の座標が検出され、この座標情報がシステム制御部７に送信され、システム制御部７は所定の処理を実行する。システム制御部７は、その座標情報により、画像表示部２に表示された各種機能の内、何が選択されたかを判断し、選択に応じた機能を動作する。タッチ検出手段５の材質は、弾性的な柔軟なシートであり、変位デバイス４の特定領域が変形して凸面を形成するに従い、シートも変形して凸面を形成する。
【００２１】
タッチ検出手段５は、変位デバイス４を介して画像表示部２に重ねて配設され、タッチ検出手段５のパネル上の位置と画像表示部２の表示画面上の位置は一対一に対応する。尚、画像表示部２と変位デバイス４とタッチ検出手段５は、単一構造として一体化しても良い。また変位デバイス４は上記公報（特表２０１１-５０８９３５）とは異なる構成を示す、特開２００９-１８１１９８号公報、特開２００６-２８５７８５号公報に記載された構成を用いてもよい。
【００２２】
画像制御部６は、記録媒体３に記憶されたドキュメントの画像情報や、撮影された画像情報、又はインターネット上から取得した画像情報等を取得し、取得した画像情報に対して画像処理を施す。画像処理部６の画像処理の内容を２点例示する。１点目は、画像制御部６は、変位デバイス４の特定領域が凸面を形成した時、ユーザの視点からは凸面周辺の画像は、歪曲により文字が歪む、又は色ずれが生じる等の問題が生じる。その問題を解決する為に、取得した画像情報を補正して、画像表示部２に出力する。
【００２３】
２点目は、画像制御部６は、変位デバイス４の特定領域の凸面をより強調表示するために、凸面部周辺の画像情報のみを異なる背景色に変更する、又はページ捲り時の紙面が変形した状態を画像情報として出力する。尚、画像制御部６は、必ずしも取得した画像情報に対して画像処理を施す必要はない。例えば、取得した画像情報を、そのまま画像表示部２に表示してもよい。
【００２４】
システム制御部７は、システム全体を制御し、ＣＰU、メモリ（ROM、RＡM）の機能を備える。システム制御部７は、タッチ検出手段５や不図示の電源スイッチや固定スイッチからの入力信号に応じて、メモリに記憶されたプログラムを実行して、電子機器１を構成する各部を制御し、所定の処理を行う。
【００２５】
システム制御部７は、ユーザがドキュメント等のアプリケーションを選択して起動した後、そのアプリケーションに準じた操作方法へ切替する。例えば、ドキュメントのアプリケーションが起動されて画像表示部２に書籍情報が出力されている時、ユーザがタッチ検出手段５をタッチ操作したときに書籍情報のページ捲り動作を実行する。尚、本件で述べるタッチ操作とは、フリップ操作、スライド操作、スワイプ操作、タップ操作等が含まれる。
【００２６】
システム制御部７は、書籍情報が出力されている時、ユーザがタッチ検出手段５にタッチした時の始点座標や現在座標を取得し、そのタッチ操作の移動量や速度や加速度を算出し、その算出値に基づき所定の処理を実行する。その所定の処理を例示する。システム制御部７は、タッチ操作の押圧又は速度又は移動量等が閾値以上であった場合やタップ操作が入力された場合、書籍情報のページ捲り動作を画像表示部２に出力すると同時に、変位デバイス４をフラット面から凸面に変形する指令を送信する。その時、変位デバイス４の凸面の高さや領域は、書籍情報の紙面の状態と連動する。
【００２７】
次に、図３を参照して、フリップ操作又はスライド操作又はスワイプ操作における、システム制御部７の処理フローについて説明する。
【００２８】
Ｓ１０１は、処理フローの開始であり、電子機器１の不図示の電源スイッチをオンにして、記録媒体３に記憶されたドキュメントのアプリケーションを起動した状態である。Ｓ１０２へ移行する。
【００２９】
Ｓ１０２は、記録媒体３に記憶された書籍情報を読込みする。その時、過去に書籍情報を閲覧した履歴があった場合は、その時の最終閲覧ページを画像表示部２に出力する。閲覧した履歴が無い場合は、１ページ目から画像表示部２に出力する。
【００３０】
図４（ａ）は、Ｓ１０２における電子機器１の状態を示している。図４（ａ）の状態は、ユーザはタッチ検出手段にタッチしておらず、全ての変位デバイス４は、フラット面４ｂを形成している。尚、以降の説明では、ユーザの指の腹の略中心位置を、塗りつぶした丸印ｓ０、ｓ１、ｓ２、ｓ３で示す。Ｓ１０３へ移行する。
【００３１】
Ｓ１０３は、ユーザがタッチ検出手段５にタッチしたかを判定する。ユーザがタッチしていない場合、タッチ検出手段５にタッチしたかの判定を繰り返す。タッチした場合、Ｓ１０４へ移行する。
【００３２】
Ｓ１０４は、ユーザがタッチ検出手段５にタッチした始点の座標情報ｓ１を取得してメモリに記憶する（図４ｂ）。また実施例１で説明する始点の定義は、以下で述べる３点の内のいずれかとする。
【００３３】
１点目は、ユーザのタッチを初めて検出した座標を始点とする。２点目は、タッチ検出手段５はユーザがタッチした時の押圧を検出可能であり、その押圧が閾値以上となった時の座標を始点とする。３点目は、図５より、ユーザがタッチ検出手段５を指でなぞる操作をした場合、その軌跡のベクトル方向が画像表示部２の中央部に向けられた時の座標を始点ｓ３とする。Ｓ１０５へ移行する。
【００３４】
Ｓ１０５は、Ｓ１０４で記憶された始点の座標情報ｓ１が、制御領域又は非制御領域であるかを判定する。図５より、タッチ検出手段５の左右の端部周辺は、制御領域5aに割当てされており、タッチ検出手段５の中央部周辺は、非制御領域5bに割当する。Ｓ１０４で記憶された始点の座標情報ｓ１が、非制御領域であれば、メモリに記憶した始点座標ｓ１を初期化し、始点座標ｓ１が制御領域に入るまで判定を繰り返す為に、Ｓ１０４へ移行する。Ｓ１０４で記憶された始点座標ｓ１が、制御領域であればＳ１０６へ移行する。
【００３５】
Ｓ１０６は、Ｓ１０４で始点座標ｓ１が記憶された時間を基準として、任意の時間経過後にタッチしている現在座標ｓ２を取得してメモリに記憶する。Ｓ１０７へ移行する。
【００３６】
Ｓ１０７は、現在座標ｓ２と始点座標ｓ１と任意の時間に基づき、ユーザのタッチ操作の移動量、速度、加速度、ベクトル等を算出して、メモリに記憶する。Ｓ１０８へ移行する。
【００３７】
Ｓ１０８は、Ｓ１０７で算出した始点座標ｓ１を始点としたベクトルが、任意の角度範囲内であるかを判定する。任意の角度範囲は、タッチ検出手段５の各々の座標に対して設定される。図５より例示すると、座標w１の場合はθ１の角度範囲、座標w２の場合はθ２の角度範囲、始点座標w３の場合はθ３の角度範囲とする。Ｓ１０８で設定された座標ｗ１、ｗ２、ｗ３の任意の角度範囲は、略画面中心の方向に設定されている。ベクトルが任意の角度範囲内であればＳ１０９へ移行する。ベクトルが任意の角度範囲外であれば、メモリに記憶した始点座標ｓ１を初期化し、Ｓ１０４へ移行する。
【００３８】
Ｓ１０９は、Ｓ１０７で算出したタッチ操作の速度が、閾値以上であるかを判定する。速度が閾値以上であった場合、Ｓ１１４へ移行する。速度が閾値未満であった場合、Ｓ１１０へ移行する。補足として、Ｓ１０９で述べた、タッチ操作の速度が閾値以上とはフリック操作のことであり、閾値未満とはスライド操作やスワイプ操作であることをイメージしてもよい。
【００３９】
Ｓ１１０は、システム制御部７に格納された座標演算部７aより、変位デバイス４をフラット面から凸面へ変化させる領域を演算する。座標演算部７aの領域の演算方法について説明する。図４（ｂ）には既知である、始点座標ｓ１、現在座標ｓ２、算出されたベクトルｕ、タップ操作の速度Ｖ（ｍｍ/ｓ）が示されている。これよりフラット面から凸面へ変化させる領域は、ベクトルｕに略直交であり、且つ、現在座標を基準位置として、速度Ｖに任意の時間t１を乗算した距離Ｌと算出する。その距離Ｌ上の範囲が、領域m１である。また領域ｍ１を基準として、略平行に任意の幅を含めた範囲を、領域m２、領域m３と算出する。
【００４０】
次に、タッチ検出手段５上の領域ｍ１、ｍ２、ｍ３の範囲に対応する座標を、変位デバイス４上における座標へ変換して、メモリに記憶する。Ｓ１１１へ移行する。
【００４１】
Ｓ１１１は、Ｓ１１０で記憶した領域ｍ１、ｍ２、ｍ３の範囲に対応する、各変位デバイス４をフラット面から凸面に変形する指令を送信する。同時に、領域ｍ１、ｍ２、ｍ３の範囲外で凸面が形成されている場合は、凸面からフラット面に変形する指令を送信する。
【００４２】
この時、凸面の高さを領域に応じて可変してもよい。例えば、凸面の高さをm１＞ｍ２＝ｍ３の順や、m１＞ｍ２＞ｍ３の順や、m１＞ｍ３＞ｍ２の順で、高くしてもよい。又は、書籍をページ捲りする際の紙面の撓みの高さに応じた凸面の高さに設定してもよい。また画像制御部６は、凸面周辺の画像の文字の歪み等を補正する処理を行い、画像表示部２に画像情報を出力してもよい。
【００４３】
Ｓ１１２は、図６に示すように、現在座標ｓ２が、非自動プログラム領域5c又は自動プログラム領域5dであるかを判定する。非自動プログラム領域5cである場合は、Ｓ１１３へ移行する。自動プログラム領域5dである場合は、Ｓ１１４へ移行する。
【００４４】
Ｓ１１３は、ユーザがタッチ入力を継続しているかを判定する。タッチ操作を継続している場合は、メモリに記憶した始点座標ｓ１を初期化し、Ｓ１０４へ移行する。タッチ入力を継続していない場合、Ｓ１１６へ移行する。
【００４５】
Ｓ１１４は、ユーザのタッチ検出手段５へのタッチ操作とは無関係に、システム制御部７に格納された自動プログラム７bに準じた処理を実行して、自動的にページ捲りが実行される。自動プログラム７bは、Ｓ１１２で画像表示部２に出力された書籍情報と、変位デバイス４が凸面を形成している領域を基準として、自動的にページ捲りを実行する。図４（ｂ）、（ｃ）、（ｄ）に示すのは、自動プログラム７bの処理によって、各変位デバイス４が変形する流れを示す。
【００４６】
図４（ｂ）は自動プログラムの処理を実行する前であり、図４（ｃ）は自動プログラムが実行されて図４（ｂ）に対して任意の時間経過後の状態であり、図４（ｄ）は継続されて自動プログラムが実行されて図４（ｃ）に対して任意の時間経過後の状態である。図４（ｂ）、（ｃ）、（ｄ）に示すように、各変位デバイス４は、フラット面から凸面の形成、又は凸面からフラット面を形成する。
【００４７】
Ｓ１１５は、ユーザがタッチ検出手段５から指を離していることより、ページ捲り動作を中断する処理を実行する。その処理は、画像制御部６に対して、書籍情報を読込みしたＳ１０２の状態に戻す処理を実行する。また変位デバイス４に対しては、書籍情報をＳ１０２に戻す処理に連動させて、全ての凸面をフラット面に変化させる指令を与える。Ｓ１１６は、ページ捲り動作が終了し、全ての変位デバイス４はフラット面を形成している状態である。ページ捲り動作が終了した後は、Ｓ１０３へ移行し同様の処理を繰り返す。
【００４８】
尚、上述した実施形態のＳ１０９では、タッチ操作の速度が閾値以上であるかを判定した。異なる形態として、始点座標から現在座標への移動量が閾値以上であるかを判定する。その場合、移動量が閾値以上であった場合、Ｓ１１４へ移行する。移動量が閾値未満であった場合、Ｓ１１０へ移行する。
【００４９】
尚、上述した実施形態のＳ１１０では、速度Ｖと任意の時間ｔ１に応じて距離Ｌを算出し、領域ｍ１を算出していた。異なる形態として、現在座標を基準位置として、任意の距離に領域ｍ１を算出してもよい。またフラット面から凸面へ変化させる領域ｍ１は、ベクトルｕに略直交と説明したが、必ずしも直交させる必要は無い。
【００５０】
尚、上述した実施形態の図４（ｂ）、（ｃ）、（ｄ）では、タッチ操作を水平方向に実施した場合を図示していた。異なる形態として、図７（ａ）、（ｂ）、（ｃ）に示すように、タッチ操作を斜め方向に実施しても、本件のフローは実施可能である。
【００５１】
上記実施例１の効果として、フリップ操作又はスライド操作又はスワイプ操作に応じてページ捲りする時、より紙媒体の書籍のページ捲りに近い、現実のような立体感を得ることができる。
【００５２】
［実施例２］
以下、図８から図９を参照して、本発明の第２の実施例について説明する。
【００５３】
上述した実施例１と同じ部分は省略する。尚、実施例１ではフリップ操作又はスライド操作又はスワイプ操作に応じたページ捲り時のフローを説明したが、実施例２ではタップ操作に応じたページ捲り時のフローを説明する。
【００５４】
図８を参照して、タップ操作における、システム制御部７の処理フローについて説明する。
【００５５】
Ｓ１０１と、Ｓ１０２と、Ｓ１０３は、上述した実施例１と同じ内容の為、省略する。
【００５６】
Ｓ２０１は、ユーザがタッチ検出手段５にタッチした始点の座標情報ｑ１を取得してメモリに記憶する。（図９ａ）実施例２で説明する始点の定義は、以下で述べる２点の内のいずれかとする。１点目は、ユーザのタッチを初めて検出した座標を始点とする。２点目は、タッチ検出手段５はユーザがタッチした時の押圧を検出可能であり、その押圧が閾値以上となった時の座標を始点とする。
【００５７】
Ｓ２０２は、Ｓ２０１で記憶された始点座標ｑ１が、制御領域又は非制御領域であるかを判定する。図５より、タッチ検出手段５の左右の端部周辺は、制御領域5aに割当てされており、タッチ検出手段５の中央部周辺は、非制御領域5bに割当する。Ｓ２０１で記憶された始点の座標情報ｑ１が、非制御領域であれば、メモリに記憶した始点座標ｑ１を初期化し、始点座標ｑ１が制御領域に入るまで判定を繰り返す為に、Ｓ２０１へ移行する。Ｓ２０１で記憶された始点座標ｓ１が、制御領域であればＳ２０３へ移行する。
【００５８】
Ｓ２０３は、座標演算部７aより、変位デバイス４をフラット面から凸面へ変化させる領域を演算する。その演算方法について説明する。図９（ａ）に示すように、書籍情報が２ページ表示されている場合、まず始点座標ｑ１が、書籍情報の左ページ又は右ページのいずれかを選択したかを判断する。次に、始点座標ｑ１が該当するページ側の任意の箇所を領域ｎ１と算出する。例えば、図９（ａ）は、始点座標ｑ１の左方方向に領域ｎ１を設けた場合であり、図９（b）は、指との干渉を回避する為に、始点座標ｑ１近傍の変位デバイス４を除く領域を、領域ｎ１と算出した場合である。
【００５９】
次に、タッチ検出手段５上の領域ｎ１の範囲に対応する座標を、４５０個の変位デバイス４上における座標へ変換して、メモリに記憶する。Ｓ２０４へ移行する。尚、Ｓ２０３では書籍情報が２ページ表示の算出方法を説明したが、書籍情報が１ページ表示の場合も応用可能である。
【００６０】
Ｓ２０４は、ユーザのタッチ検出手段５へのタップ操作とは無関係に、自動プログラム７bに準じた処理を実行し、自動的にページ捲りが実行される。自動プログラム７bは、Ｓ２０３で記憶した領域ｎ１の範囲に対応する、各変位デバイス４をフラット面から凸面に変形する指令を送信し（図９（ａ）、図９（ｂ））、次にそれらを基準として自動的にページ捲りを実行する（図９（ｃ））。
【００６１】
Ｓ２０５は、ページ捲り動作が終了し、全ての変位デバイス４はフラット面を形成している状態である。ページ捲り動作が終了した後は、Ｓ１０３へ移行し同様の処理を繰り返す。
【００６２】
上記実施例２の効果として、タップ操作でページ捲りする時、より紙媒体の書籍のページ捲りに近い、現実のような立体感を得ることができる。尚、上述した実施形態では、システム制御部７は、始点座標や現在座標や速度等に基づき変位デバイス４が凸部を形成する領域を算出して凸部を形成したが、その限りでは無く、ページ捲り時の画像情報に準じて、凸部を形成する領域を算出してもよい。
【００６３】
例えば図１０（ａ）に示すように、ページ捲り時の画像情報が、ページの変形状態ｒ１、ｒ２を表示している時、その変形箇所ｒ１、ｒ２に凸部を形成してもよい。また図１０（ｂ）に示すように、ページ捲り時の画像情報が、ページとページの境界部r３を表示している時、その境界部ｒ３に凸部を形成してもよい。
【００６４】
また凸部を形成した変位デバイス４は、立体感を生み出す為に、凸部の高さを可変してもよい。またシステム制御部７が、画像情報に準じて凸部を形成する場合、画像情報に付加された立体感などを示す奥行き情報に応じて凸部の領域や高さを制御してもよい。あるいは、システム制御部７は、ページ捲り時の画像のテンプレートを予め用意しておき、入力された画像がテンプレートとマッチングした時、凸部の領域や高さを制御してもよい。
【００６５】
尚、上述した実施形態では、ドキュメントのページ捲り時における変位デバイス４の制御方法について説明した。異なる形態として、ドキュメントに限定されず、画像表示部２に表示された画像が移動する場合に、本件のフローは適用可能である。例えば、タブレット等をタッチ操作してメインのホーム画面から隣のホーム画面へ切替する時に、実施可能である。
【００６６】
尚、上述した実施形態において、ページ捲りを実施する時、不図示のスピーカより効果音を発してもよい。尚、上述した実施形態では、本発明を電子機器１に適用した場合を例にして説明した。本発明でいう電子機器１とは、カメラ、携帯電話、タブレット機器、PＤＡ、ゲーム機器、音楽プレーヤ、パーソナルコンピュータ等と、タッチパネルを含む製品に適用可能である。
【００６７】
以上、本発明の好ましい実施形態について説明したが、本発明はこれらの実施形態に限定されず、その要旨の範囲内で種々の変形及び変更が可能である。
【符号の説明】
【００６８】
２  画像表示部、４  変位デバイス、５  タッチ検出手段、７  システム制御部
【図１】
2017219980.tif 000003
【図２（ａ）】
2017219980.tif 000004
【図２（ｂ）】
2017219980.tif 000005
【図３】
2017219980.tif 000006
【図４（ａ）】
2017219980.tif 000007
【図４（ｂ）】
2017219980.tif 000008
【図４（ｃ）】
2017219980.tif 000009
【図４（ｄ）】
2017219980.tif 000010
【図５】
2017219980.tif 000011
【図６】
2017219980.tif 000012
【図７（ａ）】
2017219980.tif 000013
【図７（ｂ）】
2017219980.tif 000014
【図７（ｃ）】
2017219980.tif 000015
【図８】
2017219980.tif 000016
【図９（ａ）】
2017219980.tif 000017
【図９（ｂ）】
2017219980.tif 000018
【図９（ｃ）】
2017219980.tif 000019
【図１０（ａ）】
2017219980.tif 000020
【図１０（ｂ）】
2017219980.tif 000021